(57)【特許請求の範囲】
【請求項１】
ユーザにより投稿された投稿情報の他のユーザによる閲覧を管理する閲覧管理システムであって、
各ユーザの位置情報を記憶する位置情報記憶手段と、
前記投稿情報ごとの閲覧を許可するユーザグループとして、前記投稿情報に対する他のユーザからの反応を示す情報に基づいて、互いに異なる複数の地域のうち相対的に範囲が小さい地域に対応するユーザグループを設定するか又は相対的に範囲が大きい地域に対応するユーザグループを設定するかを判定するユーザグループ判定手段と、
前記位置情報記憶手段により記憶された位置情報に基づいて、他のユーザが、前記ユーザグループ判定手段により判定されたユーザグループに属するユーザであるか否かを判定し、該他のユーザが当該ユーザグループに属すると判定された場合に当該ユーザグループに対して閲覧が許可された投稿情報を出力する情報出力手段と、
を備えたことを特徴とする閲覧管理システム。
【請求項２】
前記情報出力手段は、前記投稿情報を投稿したユーザの位置と他のユーザの位置との間の距離を算出し、算出した距離に基づいて、当該他のユーザが、前記ユーザグループ判定手段により判定されたユーザグループに属するユーザであるか否かを判定することを特徴とする請求項１に記載の閲覧管理システム。
【請求項３】
前記投稿情報に対する評価を受け付ける評価受付手段をさらに備え、前記ユーザグループ判定手段は、前記評価受付手段により受け付けられた評価を前記投稿情報に対する他のユーザからの反応を示す情報として、前記投稿情報の閲覧を許可するユーザグループを判定することを特徴とする請求項１または２に記載の閲覧管理システム。
【請求項４】
前記投稿情報が当該投稿情報を閲覧するユーザの端末装置に出力された出力回数を計測する出力回数計測手段をさらに備え、前記ユーザグループ判定手段は、前記出力回数計測手段により計測された出力回数を前記投稿情報に対する他のユーザからの反応を示す情報として、前記投稿情報の閲覧を許可するユーザグループを判定することを特徴とする請求項１または２に記載の閲覧管理システム。
【請求項５】
ユーザにより投稿された投稿情報の他のユーザによる閲覧を管理する閲覧管理方法であって、
コンピュータが、
前記投稿情報ごとの閲覧を許可するユーザグループとして、前記投稿情報に対する他のユーザからの反応を示す情報に基づいて、互いに異なる複数の地域のうち相対的に範囲が小さい地域に対応するユーザグループを設定するか又は相対的に範囲が大きい地域に対応するユーザグループを設定するかを判定するユーザグループ判定工程と、
あらかじめ記憶装置に記憶された各ユーザの位置情報を読み出し、読み出した位置情報に基づいて、他のユーザが、前記ユーザグループ判定工程により判定されたユーザグループに属するユーザであるか否かを判定し、該他のユーザが当該ユーザグループに属すると判定された場合に当該ユーザグループに対して閲覧が許可された投稿情報を出力する情報出力工程と、
を実行することを特徴とする閲覧管理方法。
【請求項６】
前記情報出力工程は、前記投稿情報を投稿したユーザの位置と他のユーザの位置との間の距離を算出し、算出した距離に基づいて、当該他のユーザが、前記ユーザグループ判定工程により判定されたユーザグループに属するユーザであるか否かを判定することを特徴とする請求項５に記載の閲覧管理方法。
【請求項７】
前記コンピュータが、前記投稿情報に対する評価を受け付ける評価受付工程をさらに実行し、前記ユーザグループ判定工程は、前記評価受付工程により受け付けられた評価を前記投稿情報に対する他のユーザからの反応を示す情報として、前記投稿情報の閲覧を許可するユーザグループを判定することを特徴とする請求項５または６に記載の閲覧管理方法。
【請求項８】
前記コンピュータが、前記投稿情報が当該投稿情報を閲覧するユーザの端末装置に出力された出力回数を計測する出力回数計測工程をさらに実行し、前記ユーザグループ判定工程は、前記出力回数計測工程により計測された出力回数を前記投稿情報に対する他のユーザからの反応を示す情報として、前記投稿情報の閲覧を許可するユーザグループを判定することを特徴とする請求項５または６に記載の閲覧管理方法。
【請求項９】
ユーザにより投稿された投稿情報の他のユーザによる閲覧を管理する閲覧管理プログラムであって、
前記投稿情報ごとの閲覧を許可するユーザグループとして、前記投稿情報に対する他のユーザからの反応を示す情報に基づいて、互いに異なる複数の地域のうち相対的に範囲が小さい地域に対応するユーザグループを設定するか又は相対的に範囲が大きい地域に対応するユーザグループを設定するかを判定するユーザグループ判定手順と、
あらかじめ記憶装置に記憶された各ユーザの位置情報を読み出し、読み出した位置情報に基づいて、他のユーザが、前記ユーザグループ判定手順により判定されたユーザグループに属するユーザであるか否かを判定し、該他のユーザが当該ユーザグループに属すると判定された場合に当該ユーザグループに対して閲覧が許可された投稿情報を出力する情報出力手順と、
をコンピュータに実行させることを特徴とする閲覧管理プログラム。
【請求項１０】
前記情報出力手順は、前記投稿情報を投稿したユーザの位置と他のユーザの位置との間の距離を算出し、算出した距離に基づいて、当該他のユーザが、前記ユーザグループ判定手順により判定されたユーザグループに属するユーザであるか否かを判定することを特徴とする請求項９に記載の閲覧管理プログラム。
【請求項１１】
前記投稿情報に対する評価を受け付ける評価受付手順をさらにコンピュータに実行させ、前記ユーザグループ判定手順は、前記評価受付手順により受け付けられた評価を前記投稿情報に対する他のユーザからの反応を示す情報として、前記投稿情報の閲覧を許可するユーザグループを判定することを特徴とする請求項９または１０に記載の閲覧管理プログラム。
【請求項１２】
前記投稿情報が当該投稿情報を閲覧するユーザの端末装置に出力された出力回数を計測する出力回数計測手順をさらにコンピュータに実行させ、前記ユーザグループ判定手順は、前記出力回数計測手順により計測された出力回数を前記投稿情報に対する他のユーザからの反応を示す情報として、前記投稿情報の閲覧を許可するユーザグループを判定することを特徴とする請求項９または１０に記載の閲覧管理プログラム。
【発明の詳細な説明】
【技術分野】
【０００１】
本発明は、ユーザにより投稿された投稿情報の他のユーザによる閲覧を管理する閲覧管理システム、閲覧管理方法および閲覧管理プログラムに関し、特に、ユーザにより投稿された情報の公開地域を段階的に広げることができる閲覧管理システム、閲覧管理方法および閲覧管理プログラムに関する。
【背景技術】
【０００２】
従来、ユーザがある物事に対する自分の意見などの情報を他のユーザにインターネット上で公開し、他のユーザとの間で意見交換などをおこなうブログや電子掲示板などの技術が幅広く利用されている。
【０００３】
公開された情報には、基本的には、誰もがアクセスすることができるが、情報を公開するユーザがその情報にアクセスできるユーザを制限できるようにしたブログや電子掲示板なども利用されている。
【０００４】
たとえば、自分のブログをお気に入りブログとして登録しているユーザにだけ、情報を公開するようユーザが設定できる技術などがある（非特許文献１を参照）。ここで、お気に入りブログとは、ユーザが自分のブログにリンクを設定したブログであり、たとえば、自分の好きなブログや、よくアクセスするブログなどである。
【０００５】
【非特許文献１】ヤフー株式会社、”Ｙａｈｏｏ！ブログヘルプ”、［online］、［平成１８年１月１３日検索］、インターネット＜http://help.yahoo.co.jp/help/jp/blog/blog-50.html＞
【発明の開示】
【発明が解決しようとする課題】
【０００６】
しかしながら、上述した非特許文献１に代表される従来技術では、ユーザにより投稿された情報の公開地域が徐々に広がるように制御することが難しいという問題があった。
【０００７】
具体的には、情報を投稿するユーザが、情報を公開する地域をその情報に対する他のユーザからの反応を確かめながら徐々に広げていきたいと希望する場合もあるが、そのようなユーザの希望に沿うことが難しかった。
【０００８】
そのため、ユーザにより投稿された情報の公開地域を段階的に広げることができる技術の開発が以前から強く望まれていた。
【０００９】
この発明は、上述した従来技術による問題点を解消するためになされたものであり、ユーザにより投稿された情報の公開地域を段階的に広げることができる閲覧管理システム、閲覧管理方法および閲覧管理プログラムを提供することを目的とする。
【課題を解決するための手段】
【００１０】
上述した課題を解決し、目的を達成するため、本発明は、ユーザにより投稿された投稿情報の他のユーザによる閲覧を管理する閲覧管理システムであって、各ユーザの位置情報を記憶する位置情報記憶手段と、前記投稿情報ごとの閲覧を許可するユーザグループとして、前記投稿情報に対する他のユーザからの反応を示す情報に基づいて、互いに異なる複数の地域のうち相対的に範囲が小さい地域に対応するユーザグループを設定するか又は相対的に範囲が大きい地域に対応するユーザグループを設定するかを判定するユーザグループ判定手段と、前記位置情報記憶手段により記憶された位置情報に基づいて、ユーザが、前記ユーザグループ判定手段により判定されたユーザグループに属するユーザであるか否かを判定し、ユーザが当該ユーザグループに属すると判定された場合に当該ユーザグループに対して閲覧が許可された投稿情報を出力する情報出力手段と、を備えたことを特徴とする。
【００１１】
また、本発明は、上記発明において、前記情報出力手段は、前記投稿情報を投稿したユーザの位置と他のユーザの位置との間の距離を算出し、算出した距離に基づいて、当該他のユーザが、前記ユーザグループ判定手段により判定されたユーザグループに属するユーザであるか否かを判定することを特徴とする。
【００１２】
また、本発明は、上記発明において、前記投稿情報に対する評価を受け付ける評価受付手段をさらに備え、前記ユーザグループ判定手段は、前記評価受付手段により受け付けられた評価を前記投稿情報に対する他のユーザからの反応を示す情報として、前記投稿情報の閲覧を許可するユーザグループを判定することを特徴とする。
【００１３】
また、本発明は、上記発明において、前記投稿情報が当該投稿情報を閲覧するユーザの端末装置に出力された出力回数を計測する出力回数計測手段をさらに備え、前記ユーザグループ判定手段は、前記出力回数計測手段により計測された出力回数を前記投稿情報に対する他のユーザからの反応を示す情報として、前記投稿情報の閲覧を許可するユーザグループを判定することを特徴とする。
【００１４】
また、本発明は、ユーザにより投稿された投稿情報の他のユーザによる閲覧を管理する閲覧管理方法であって、コンピュータが、前記投稿情報ごとの閲覧を許可するユーザグループとして、前記投稿情報に対する他のユーザからの反応を示す情報に基づいて、互いに異なる複数の地域のうち相対的に範囲が小さい地域に対応するユーザグループを設定するか又は相対的に範囲が大きい地域に対応するユーザグループを設定するかを判定するユーザグループ判定工程と、あらかじめ記憶装置に記憶された各ユーザの位置情報を読み出し、読み出した位置情報に基づいて、ユーザが、前記ユーザグループ判定工程により判定されたユーザグループに属するユーザであるか否かを判定し、ユーザが当該ユーザグループに属すると判定された場合に当該ユーザグループに対して閲覧が許可された投稿情報を出力する情報出力工程と、を含んだことを特徴とする。
【００１５】
また、本発明は、上記発明において、前記情報出力工程は、前記投稿情報を投稿したユーザの位置と他のユーザの位置との間の距離を算出し、算出した距離に基づいて、当該他のユーザが、前記ユーザグループ判定工程により判定されたユーザグループに属するユーザであるか否かを判定することを特徴とする。
【００１６】
また、本発明は、上記発明において、前記コンピュータが、前記投稿情報に対する評価を受け付ける評価受付工程をさらに含み、前記ユーザグループ判定工程は、前記評価受付工程により受け付けられた評価を前記投稿情報に対する他のユーザからの反応を示す情報として、前記投稿情報の閲覧を許可するユーザグループを判定することを特徴とする。
【００１７】
また、本発明は、上記発明において、前記コンピュータが、前記投稿情報が当該投稿情報を閲覧するユーザの端末装置に出力された出力回数を計測する出力回数計測工程をさらに含み、前記ユーザグループ判定工程は、前記出力回数計測工程により計測された出力回数を前記投稿情報に対する他のユーザからの反応を示す情報として、前記投稿情報の閲覧を許可するユーザグループを判定することを特徴とする。
【００１８】
また、本発明は、ユーザにより投稿された投稿情報の他のユーザによる閲覧を管理する閲覧管理プログラムであって、前記投稿情報ごとの閲覧を許可するユーザグループとして、前記投稿情報に対する他のユーザからの反応を示す情報に基づいて、互いに異なる複数の地域のうち相対的に範囲が小さい地域に対応するユーザグループを設定するか又は相対的に範囲が大きい地域に対応するユーザグループを設定するかを判定するユーザグループ判定手順と、あらかじめ記憶装置に記憶された各ユーザの位置情報を読み出し、読み出した位置情報に基づいて、ユーザが、前記ユーザグループ判定手順により判定されたユーザグループに属するユーザであるか否かを判定し、ユーザが当該ユーザグループに属すると判定された場合に当該ユーザグループに対して閲覧が許可された投稿情報を出力する情報出力手順と、をコンピュータに実行させることを特徴とする。
【００１９】
また、本発明は、上記発明において、前記情報出力手順は、前記投稿情報を投稿したユーザの位置と他のユーザの位置との間の距離を算出し、算出した距離に基づいて、当該他のユーザが、前記ユーザグループ判定手順により判定されたユーザグループに属するユーザであるか否かを判定することを特徴とする。
【００２０】
また、本発明は、上記発明において、前記投稿情報に対する評価を受け付ける評価受付手順をさらにコンピュータに実行させ、前記ユーザグループ判定手順は、前記評価受付手順により受け付けられた評価を前記投稿情報に対する他のユーザからの反応を示す情報として、前記投稿情報の閲覧を許可するユーザグループを判定することを特徴とする。
【００２１】
また、本発明は、上記発明において、前記投稿情報が当該投稿情報を閲覧するユーザの端末装置に出力された出力回数を計測する出力回数計測手順をさらにコンピュータに実行させ、前記ユーザグループ判定手順は、前記出力回数計測手順により計測された出力回数を前記投稿情報に対する他のユーザからの反応を示す情報として、前記投稿情報の閲覧を許可するユーザグループを判定することを特徴とする。
【発明の効果】
【００２２】
本発明によれば、各ユーザの位置情報を記憶し、投稿情報ごとの閲覧を許可するユーザグループとして、投稿情報に対する他のユーザからの反応を示す情報に基づいて、互いに異なる複数の地域のうち相対的に範囲が小さい地域に対応するユーザグループを設定するか又は相対的に範囲が大きい地域に対応するユーザグループを設定するかを判定し、記憶された位置情報に基づいて、ユーザが、上記判定されたユーザグループに属するユーザであるか否かを判定し、ユーザが当該ユーザグループに属すると判定された場合に当該ユーザグループに対して閲覧が許可された投稿情報を出力することとしたので、複数のユーザグループを定義して投稿情報の閲覧を許可するユーザグループを判定することにより、ユーザにより投稿された情報の公開地域を段階的に広げることができるという効果を奏する。
【００２３】
また、本発明によれば、投稿情報を投稿したユーザの位置と他のユーザの位置との間の距離を算出し、算出した距離に基づいて、当該他のユーザが、上記判定されたユーザグループに属するユーザであるか否かを判定することとしたので、ユーザにより投稿された情報の公開地域を段階的に広げる場合に、ユーザが近所のユーザか否かを効率的に判定することができるという効果を奏する。
【００２４】
また、本発明によれば、投稿情報に対する評価を受け付け、受け付けられた評価に基づいて、投稿情報の閲覧を許可するユーザグループを判定することとしたので、評価が高くなるにつれて公開範囲を広げるようにするなど、情報に対する他のユーザからの反応を確かめながら徐々に情報を公開する地域を広げていくことができるという効果を奏する。
【００２５】
また、本発明によれば、投稿情報が当該投稿情報を閲覧するユーザの端末装置に出力された出力回数を計測し、計測された出力回数に基づいて、投稿情報の閲覧を許可するユーザグループを判定することとしたので、閲覧数が高くなるにつれて公開範囲を広げるようにするなど、情報に対する他のユーザからの反応を確かめながら徐々に情報を公開する地域を広げていくことができるという効果を奏する。
【発明を実施するための最良の形態】
【００２６】
以下に添付図面を参照して、本発明に係る閲覧管理システム、閲覧管理方法および閲覧管理プログラムの好適な実施例を詳細に説明する。なお、ここでは、ユーザにより開設されたブログに投稿される情報の閲覧管理について説明する。ただし、本発明に係る情報の閲覧管理は、ブログの投稿情報を掲載するサービスに限定されるものではなく、電子掲示板など他の投稿情報を掲載するサービスについても同様に適用することができる。
【実施例】
【００２７】
まず、本発明に係る閲覧管理処理の概念について説明する。図１は、本発明に係る閲覧管理処理の概念について説明する図である。図１に示すように、この閲覧管理処理では、ユーザにより投稿された情報を、最初は、友人などごく狭い範囲の人にだけ公開する。
【００２８】
そして、この情報に対する評価やアクセス数を計測し、評価やアクセス数が一定の値よりも大きくなった場合に、情報の公開範囲を拡大し、情報を投稿したユーザの近所のユーザ（たとえば、情報を投稿したユーザの住所から所定の距離内に住所があるユーザや、情報を投稿したユーザと同一町内に住所があるユーザ）にその情報を公開する。
【００２９】
さらに、評価やアクセス数が大きくなり、所定の閾値を越えた場合には、全国のユーザにその情報を公開する。
【００３０】
このように、ユーザの住所などの位置情報を利用して、情報がアクセスされる範囲を段階的に切り替えることにより、その情報に対する他のユーザからの反応を確かめながら徐々に情報を公開する地域を広げていくことができる。
【００３１】
つぎに、本実施例に係る閲覧管理システムの機能構成について説明する。図２は、本実施例に係る閲覧管理システムの機能構成について説明する図である。図２に示すように、この閲覧管理システム２０は、クライアント装置１０ａ〜１０ｃとインターネット３０を介して接続されている。
【００３２】
クライアント装置１０ａ〜１０ｃは、ユーザが閲覧管理システム２０により提供されるブログサービスを利用して開設したブログに情報を投稿したり、投稿された情報を閲覧したりする携帯電話やパーソナルコンピュータなどの端末装置である。
【００３３】
閲覧管理システム２０は、ブログサービスをユーザに提供するシステムである。この閲覧管理システム２０は、ブログサービスを単に提供するだけでなく、ユーザの住所などの位置情報を利用して、情報がアクセスされる範囲を段階的に切り替える処理をおこなう。
【００３４】
図２に示すように、この閲覧管理システム２０は、フロントエンドサーバ４０、ユーザ管理サーバ５０、コンテンツサーバ６０、近所ユーザ検出サーバ７０、公開範囲判定サーバ８０が、ＬＡＮ（Local Area Network）９０で接続された構成となっている。
【００３５】
フロントエンドサーバ４０は、ユーザがクライアント装置１０ａ〜１０ｃを操作して、ブログの開設要求やブログに掲載された投稿情報の閲覧を要求した場合に、ブログの開設処理をおこなったり、クライアント装置１０ａ〜１０ｃに対して投稿情報を出力したりするブログサービスを提供するサーバ装置である。
【００３６】
ここで、フロントエンドサーバ４０は、ブログに掲載された投稿情報の閲覧要求を受け付けた場合に、クライアント装置１０ａ〜１０ｃに対して、閲覧要求をおこなったユーザが閲覧を許可された投稿情報のみを出力する。
【００３７】
このフロントエンドサーバ４０は、通信処理部４１、記憶部４２、情報提供処理部４３、制御部４４を有する。通信処理部４１は、ＬＡＮ９０やインターネット３０を介して他の装置との間で通信をおこなう通信インターフェースである。
【００３８】
記憶部４２は、ハードディスク装置などの記憶デバイスである。この記憶部４２は、ＨＴＭＬ（HyperText Markup Language）データ４２ａを記憶している。ＨＴＭＬデータ４２ａは、クライアント装置１０ａ〜１０ｃに出力されるブログ画面を構成するＨＴＭＬのデータである。
【００３９】
情報提供処理部４３は、クライアント装置１０ａ〜１０ｃからブログの開設要求を受け付けてブログの開設処理をおこなったり、ユーザにより投稿された投稿情報を含むブログ情報の閲覧要求を受け付けて、ブログ情報をクライアント装置１０ａ〜１０ｃに出力したりする。
【００４０】
ここで、情報提供処理部４３は、ブログ情報の閲覧要求をおこなったユーザのクライアント装置１０ａ〜１０ｃに投稿情報を出力する場合に、後に説明するコンテンツサーバ６０に記憶された友人・近所対応データ６２ｂを参照し、閲覧が許可された投稿情報のみを出力する。
【００４１】
制御部４４は、フロントエンドサーバ４０を全体制御する制御部であり、各機能部間のデータの授受を司る。
【００４２】
図３は、クライアント装置１０ａ〜１０ｃに出力されるブログ情報提供画面１００の一例を示す図である。図３に示すように、このブログ情報提供画面１００には、友人情報１０１、近所情報１０２、全国情報１０３が表示されている。
【００４３】
友人情報１０１は、情報を投稿したユーザの友人のみに提供される情報である。近所情報１０２は、情報を投稿したユーザの近所に住んでいるユーザのみに提供される情報である。全国情報１０３は、全国のユーザに提供される情報である。
【００４４】
また、友人情報１０１、近所情報１０２、全国情報１０３には、各情報を閲覧したユーザから情報の評価（役に立つ？という質問に対する「はい」あるいは「いいえ」）を受け付ける評価受付ボタン１０１ａ，１０１ｂ，１０２ａ，１０２ｂ，１０３ａ，１０３ｂが示されている。
【００４５】
フロントエンドサーバ４０は、これらの評価受付ボタン１０１ａ，１０１ｂ，１０２ａ，１０２ｂ，１０３ａ，１０３ｂがクライアント装置１０ａ〜１０ｃを操作するユーザによりマウス等でクリックされた場合に、その情報をクライアント装置１０ａ〜１０ｃから受信する。
【００４６】
なお、ここでは、友人情報１０１、近所情報１０２、全国情報１０３を１つの画面に出力することとしているが、友人情報１０１、近所情報１０２、全国情報１０３をそれぞれ別の画面に出力することとしてもよい。
【００４７】
図２の説明に戻ると、ユーザ管理サーバ５０は、通信処理部５１、記憶部５２、データ管理部５３、制御部５４を有する。通信処理部５１は、ＬＡＮ９０を介して他の装置との間で通信をおこなう通信インターフェースである。記憶部５２は、ハードディスク装置などの記憶デバイスである。この記憶部５２は、ユーザデータ５２ａを記憶している。
【００４８】
ユーザデータ５２ａは、ブログサービスを利用するユーザの登録情報を記憶したものである。図４は、図２に示したユーザデータ５２ａの一例を示す図である。図４に示すように、このユーザデータ５２ａは、ユーザＩＤ、氏名、年齢、性別、住所、メールアドレス、友人ユーザＩＤを記憶している。
【００４９】
ユーザＩＤは、ブログサービスを利用する各ユーザを識別する識別情報である。氏名、年齢、性別、住所、メールアドレスは、ユーザの氏名、年齢、性別、住所、メールアドレスの情報である。友人ユーザＩＤは、ユーザの友人のユーザＩＤの情報である。
【００５０】
図２の説明に戻ると、データ管理部５３は、記憶部５２に記憶されるユーザデータ５２ａの管理をおこなう管理部である。具体的には、データ管理部５３は、クライアント装置１０ａ〜１０ｃからフロントエンドサーバ４０を介してユーザの各種情報を受け付けてユーザデータ５２ａとして記憶し、また、他の装置からユーザデータ５２ａの読み出し要求を受け付けた場合に、ＬＡＮ９０を介してユーザデータ５２ａを出力する。
【００５１】
制御部５４は、ユーザ管理サーバ５０を全体制御する制御部であり、各機能部間のデータの授受を司る。
【００５２】
コンテンツサーバ６０は、ユーザにより投稿されたデータなどを管理するサーバ装置である。このコンテンツサーバ６０は、通信処理部６１、記憶部６２、データ管理部６３、制御部６４を有する。
【００５３】
通信処理部６１は、ＬＡＮ９０を介して他の装置との間で通信をおこなう通信インターフェースである。記憶部６２は、ハードディスク装置などの記憶デバイスである。この記憶部６２は、投稿データ６２ａ、友人・近所対応データ６２ｂを記憶している。
【００５４】
投稿データ６２ａは、ユーザにより投稿された投稿情報やそれに関連する情報を記憶したものである。図５は、図２に示した投稿データ６２ａの一例を示す図である。図５に示すように、この投稿データ６２ａは、投稿情報ＩＤ、投稿者ＩＤ、投稿日時、投稿内容、評価（役に立つ）、アクセス数、公開範囲の各情報を記憶している。
【００５５】
投稿情報ＩＤは、ユーザにより投稿された各情報を識別する識別情報である。投稿者ＩＤは、情報を投稿したユーザを識別するユーザＩＤであり、図３に示したユーザデータのユーザＩＤに対応するものである。
【００５６】
投稿日時は、情報が投稿された日時の情報である。投稿内容は、ユーザにより投稿された投稿情報である。評価は、投稿された情報を閲覧した各ユーザによりなされた評価を集計したものである。この評価は、図３に示したようなブログ情報提供画面１００において情報を閲覧したユーザにより受け付けた情報の評価（役に立つ？という質問に対する「はい」あるいは「いいえ」）の情報を集計した情報である。
【００５７】
アクセス数は、図３に示したようなブログ情報提供画面１００においてユーザにより情報が閲覧された回数（クライアント装置１０ａ〜１０ｃに投稿情報が出力された回数）を集計した情報である。公開範囲は、情報を公開するユーザグループの設定情報である。ここでは、ユーザグループとして、友人、近所、全国の３つのグループが設定されている。
【００５８】
友人は、情報を投稿したユーザの友人であるユーザのグループである。近所は、情報を投稿したユーザの近所に住むユーザのグループである。全国は、全国のユーザのグループである。
【００５９】
図２の説明に戻ると、友人・近所対応データ６２ｂは、各ユーザに対して出力が許可された投稿情報の識別情報を記憶したものである。図６は、図２に示した友人・近所対応データ６２ｂの一例を示す図である。図６に示すように、この友人・近所対応データ６２ｂは、ユーザＩＤ、友人投稿情報ＩＤ、近所投稿情報ＩＤの各情報を記憶している。
【００６０】
ユーザＩＤは、各ユーザを識別する識別情報であり、図４に示したユーザデータ５２ａのユーザＩＤに対応するものである。友人投稿情報ＩＤは、当該ユーザの友人により投稿された投稿情報の投稿情報ＩＤであり、この投稿情報ＩＤは、図５に示した投稿データ６２ａの投稿情報ＩＤに対応するものである。また、近所投稿情報ＩＤは、住所が当該ユーザの住所の近所であるユーザにより投稿された投稿情報の投稿情報ＩＤであり、この投稿情報ＩＤは、図５に示した投稿データ６２ａの投稿情報ＩＤに対応するものである。
【００６１】
データ管理部６３は、記憶部６２に記憶される投稿データ６２ａおよび友人・近所データ６２ｂの管理をおこなう管理部である。具体的には、データ管理部６３は、クライアント装置１０ａ〜１０ｃからユーザにより投稿された情報をフロントエンドサーバ４０を介して受信して投稿データ６２ａに記憶する。
【００６２】
また、データ管理部６３は、図３に示したようなブログ情報提供画面１００において情報を閲覧したユーザにより受け付けた情報の評価（役に立つ？という質問における「はい」あるいは「いいえ」）の情報をクライアント装置１０ａ〜１０ｃから受信して評価を集計し、投稿データ６２ａに記憶する。
【００６３】
また、データ管理部６３は、図３に示したようなブログ情報提供画面１００においてユーザにより情報が閲覧された回数を、情報をクライアント装置１０ａ〜１０ｃに出力した回数を計測することにより集計し、投稿データ６２ａに記憶する。
【００６４】
また、データ管理部６３は、後に説明する公開範囲判定サーバ８０により情報の公開範囲が判定された場合に、その判定結果の情報を公開範囲判定サーバ８０から受信して、投稿データ６２ａに記憶する。
【００６５】
さらに、データ管理部６３は、図６に示した友人・近所対応データ６２ｂの作成および更新をおこなう場合に、投稿データ６２ａの公開範囲の情報を読み出し、投稿情報の公開範囲が「友人」、「近所」、「全国」のいずれであるかを調べる。
【００６６】
そして、データ管理部６３は、公開範囲が「友人」である場合に、ユーザ管理サーバ５０に対して、ユーザデータ５２ａから投稿情報を投稿したユーザの友人であるユーザのユーザＩＤの情報を検索して送信するよう要求し、その情報を取得する。
【００６７】
続いて、データ管理部６３は、友人・近所対応データ６２ｂにおいて、取得したユーザＩＤに対応するユーザＩＤの友人投稿情報ＩＤに、公開範囲が「友人」であった投稿情報の投稿情報ＩＤを登録する。
【００６８】
また、データ管理部６３は、公開範囲が「近所」である場合に、近所ユーザ検出サーバ７０に対して、投稿情報を投稿したユーザの住所と近い住所であるユーザを検出するよう要求する。
【００６９】
そして、データ管理部６３は、近所ユーザ検出サーバ７０から、投稿情報を投稿したユーザの住所と近い住所であるユーザのユーザＩＤの情報を取得し、友人・近所対応データ６２ｂにおいて、取得したユーザＩＤに対応するユーザＩＤの近所投稿情報ＩＤに、公開範囲が「近所」であった投稿情報の投稿情報ＩＤを登録する。
【００７０】
ここで、公開範囲が「全国」である場合には、すべてのユーザに投稿情報を公開すればよいので、データ管理部６３は、公開範囲が「全国」である投稿情報の投稿情報ＩＤは友人・近所対応データ６２ｂに登録しない。
【００７１】
さらに、データ管理部６３は、他の装置から投稿データ６２ａの読み出し要求を受け付けた場合に、ＬＡＮ９０を介して読み出し要求を受け付けた投稿データ６２ａを他の装置に出力する。
【００７２】
制御部６４は、コンテンツサーバ６０を全体制御する制御部であり、各機能部間のデータの授受を司る。
【００７３】
近所ユーザ検出サーバ７０は、住所が情報を投稿したユーザの住所の近所であるユーザを検出するサーバ装置である。この近所判定サーバ７０は、通信処理部７１、記憶部７２、近所判定部７３、制御部７４を有する。
【００７４】
通信処理部７１は、ＬＡＮ９０を介して他の装置との間で通信をおこなう通信インターフェースである。記憶部７２は、ハードディスク装置などの記憶デバイスである。この記憶部７２は、地図データ７２ａを記憶している。
【００７５】
地図データ７２ａは、各住所の座標データを記憶したものである。図７は、図２に示した地図データ７２ａの一例を示す図である。図７に示すように、この地図データ７２ａは、住所およびＸＹ座標の情報を記憶している。住所は、全国各地の住所の情報である。ＸＹ座標は、各住所に対応する地点の所定の測地系におけるＸ座標およびＹ座標の情報である。
【００７６】
図２の説明に戻ると、近所ユーザ検出部７３は、住所が情報を投稿したユーザの住所の近所であるユーザを検出する検出部である。具体的には、近所検出部７３は、ユーザ管理サーバ５０から各ユーザの住所の情報をユーザＩＤとともに取得し、また、コンテンツサーバ６０から情報を投稿したユーザのユーザＩＤの情報を取得する。
【００７７】
そして、近所判定部７３は、図７に示した地図データ７２ａからそれぞれのユーザの住所に対応するＸＹ座標の情報を読み出し、そのＸＹ座標に対応する地点と、情報を投稿したユーザの住所に対応するＸＹ座標により特定される地点との間の距離を算出する。さらに、近所判定部７３は、その距離が所定の値以下であるユーザのユーザＩＤの情報をコンテンツサーバ６０に出力する処理をおこなう。
【００７８】
制御部７４は、近所判定サーバ７０を全体制御する制御部であり、各機能部間のデータの授受を司る。
【００７９】
公開範囲判定サーバ８０は、ユーザにより投稿された情報を公開するユーザグループを判定するサーバ装置である。この公開範囲判定サーバ８０は、通信処理部８１、記憶部８２、公開範囲判定部８３、制御部８４を有する。
【００８０】
通信処理部８１は、ＬＡＮ９０を介して他の装置との間で通信をおこなう通信インターフェースである。記憶部８２は、ハードディスク装置などの記憶デバイスである。この記憶部８２は、他の装置から受信した情報や公開範囲判定部８３による判定結果の情報などを記憶する。
【００８１】
公開範囲判定部８３は、ユーザにより投稿された情報を公開するユーザグループ（「友人」、「近所」、あるいは、「全国」）を判定する判定部である。具体的には、公開範囲判定部８３は、コンテンツサーバ６０から投稿データ６２ａに記憶された評価およびアクセス数の情報を受信し、「役に立つ？」という質問に対し、「はい」と応答された数から「いいえ」と応答された数を差し引いた評価値を算出する。
【００８２】
ここで、公開範囲判定部８３は、上記評価値に対してＴ１およびＴ２（Ｔ２＜Ｔ１）の２つの閾値をもっている。また、アクセス数に対しても、公開範囲判定部８３は、Ｓ１およびＳ２（Ｓ２＜Ｓ１）の２つの閾値を持っている。
【００８３】
そして、公開範囲判定部８３は、ある投稿情報について、評価値がＴ１以上で、かつ、アクセス数がＳ１以上であるか否かを調べ、評価値がＴ１以上、かつ、アクセス数がＳ１以上である場合には、その情報の閲覧を許可するユーザグループを「全国」に設定する。
【００８４】
また、公開範囲判定部８３は、ある情報について、評価値がＴ１以上でなく、かつ、アクセス数がＳ１以上ではない場合に、その情報について、評価値がＴ２以上で、かつ、アクセス数がＳ２以上であるか否かを調べ、評価値がＴ２以上、かつ、アクセス数がＳ２以上である場合には、その情報の閲覧を許可するユーザグループを「近所」に設定する。
【００８５】
その情報の評価値およびアクセス数がそれ以外の場合には、公開範囲判定部８３は、情報の閲覧を許可するユーザグループを「友人」のまま変更しない。
【００８６】
このようにしてユーザグループの設定をおこなった後、公開範囲判定部８３は、ユーザグループの設定結果の情報をコンテンツサーバ６０に送信し、図５に示した投稿データ６２ａの公開範囲に設定結果を記憶させる。
【００８７】
制御部８４は、公開範囲判定サーバ８０を全体制御する制御部であり、各機能部間のデータの授受を司る。
【００８８】
なお、ここでは、公開範囲判定サーバ８０が、投稿情報の閲覧を許可するユーザグループを変更することとしているが、ユーザグループの変更時に、変更をしてよいか否かを投稿情報を投稿したユーザに確認することとしてもよい。
【００８９】
具体的には、公開範囲判定サーバ８０の公開範囲判定部８３は、投稿情報の評価数およびアクセス数を上述したようにして調べ、ユーザグループの変更が可能であると判定した場合に、フロントエンドサーバ４０を介してクライアント装置１０ａ〜１０ｃにユーザグループの変更をおこなっても良いかを投稿情報を投稿したユーザに確認する画面を出力する。
【００９０】
そして、公開範囲判定部８３は、この応答を受け付け、ユーザによりユーザグループの変更が承認された場合にのみ、その変更をおこない、図５に示した投稿データ６２ａの公開範囲に変更結果を記憶させる。
【００９１】
つぎに、本実施例に係るユーザグループ判定処理の処理手順について説明する。図８は、本実施例に係るユーザグループ判定処理の処理手順を示すフローチャートである。なお、投稿情報が投稿された場合、そのユーザグループははじめは「友人」に設定されている。
【００９２】
図８に示すように、まず、公開範囲判定サーバ８０の公開範囲判定部８３は、コンテンツサーバ６０から投稿データ６２ａを読み込む処理をおこなう（ステップＳ１０１）。そして、公開範囲判定部８３は、投稿データ６２ａに含まれる評価の情報を参照し、「役に立つ」という質問に対する「はい」という応答数から「いいえ」という応答数を差し引いた評価値を算出する（ステップＳ１０２）。
【００９３】
続いて、公開範囲判定部８３は、評価値が閾値Ｔ１以上で、かつ、アクセス数が閾値Ｓ１以上であるか否かを調べる（ステップＳ１０３）。評価値が閾値Ｔ１以上で、かつ、アクセス数が閾値Ｓ１以上である場合には（ステップＳ１０３，Ｙｅｓ）、公開範囲判定部８３は、情報の閲覧を許可するユーザグループを「全国」に設定する（ステップＳ１０４）。
【００９４】
評価値が閾値Ｔ１以上でなく、かつ、アクセス数が閾値Ｓ１以上でない場合には（ステップＳ１０３，Ｎｏ）、公開範囲判定部８３は、評価値が閾値Ｔ２（Ｔ２＜Ｔ１）以上で、かつ、アクセス数が閾値Ｓ２（Ｓ２＜Ｓ１）以上であるか否かを調べる（ステップＳ１０５）。
【００９５】
評価値が閾値Ｔ２以上で、かつ、アクセス数が閾値Ｓ２以上である場合には（ステップＳ１０５，Ｙｅｓ）、公開範囲判定部８３は、情報の閲覧を許可するユーザグループを「近所」に設定する（ステップＳ１０６）。
【００９６】
ステップＳ１０５において「Ｎｏ」であった場合、または、ステップＳ１０４、あるいは、ステップＳ１０６の処理が終了した場合、公開範囲判定部８３は、ユーザグループの判定処理がなされていない未処理の情報があるか否かを調べ（ステップＳ１０７）、未処理の情報がある場合には（ステップＳ１０７，Ｙｅｓ）、ステップＳ１０２に移行して、それ以後の処理を継続する。
【００９７】
未処理の情報がない場合には（ステップＳ１０７，Ｎｏ）、公開範囲判定部８３は、このユーザグループ判定処理を終了する。
【００９８】
つぎに、本実施例に係る友人・近所投稿情報判定処理の処理手順について説明する。図９は、本実施例に係る友人・近所投稿情報判定処理の処理手順を示すフローチャートである。この友人・近所投稿情報判定処理は、図８に示したユーザグループ判定処理の結果を用いておこなわれる処理である。
【００９９】
図９に示すように、まず、コンテンツサーバ６０のデータ管理部６３は、投稿データ６２ａから投稿情報を１つ読み込む（ステップＳ２０１）。そして、データ管理部６３は、当該投稿情報に対応する公開範囲の情報を参照し、投稿情報が「友人」向けか否かを調べる（ステップＳ２０２）。
【０１００】
投稿情報が「友人」向けである場合には（ステップＳ２０２，Ｙｅｓ）、データ管理部６３は、ユーザ管理サーバ５０に対して、情報を投稿したユーザの友人であるユーザのユーザＩＤを検索するよう要求し、その要求を受け付けたユーザ管理サーバ５０のデータ管理部５３は、そのユーザＩＤを検索する（ステップＳ２０３）。
【０１０１】
その後、コンテンツサーバ６０のデータ管理部６３は、ユーザ管理サーバ５０のデータ管理部５３から友人のユーザＩＤの情報を受信し、図６に示した友人・近所対応データ６２ｂにおいて、受信したユーザＩＤと同じユーザＩＤに対応する友人投稿情報ＩＤにこの投稿情報の投稿情報ＩＤを登録する（ステップＳ２０４）。
【０１０２】
投稿情報が「友人」向けでない場合には（ステップＳ２０２，Ｎｏ）、データ管理部６３は、当該投稿情報に対応する公開範囲の情報を参照し、投稿情報が「近所」向けか否かを調べる（ステップＳ２０５）。
【０１０３】
投稿情報が「近所」向けである場合には（ステップＳ２０５，Ｙｅｓ）、データ管理部６３は、近所ユーザ検出サーバ７０に対して、住所が情報を投稿したユーザの住所の近所であるユーザのユーザＩＤを検索するよう要求し、その要求を受け付けた近所ユーザ検出サーバ７０の近所ユーザ検出部７３は、そのユーザＩＤを検索する（ステップＳ２０６）。
【０１０４】
その後、コンテンツサーバ６０のデータ管理部６３は、近所ユーザ検出サーバ７０の近所ユーザ検出部７３から情報を投稿したユーザと住所が近所であるユーザＩＤの情報を受信し、図６に示した友人・近所対応データ６２ｂにおいて、受信したユーザＩＤと同じユーザＩＤに対応する近所投稿情報ＩＤにこの投稿情報の投稿情報ＩＤを登録する（ステップＳ２０７）。
【０１０５】
ステップＳ２０４の処理の終了後、ステップＳ２０７の処理の終了後、あるいは、投稿情報が「近所」向けでなかった場合には（ステップＳ２０５，Ｎｏ）、データ管理部６３は、未処理の投稿情報があるか否かを調べ（ステップＳ２０８）、未処理の投稿情報がある場合には（ステップＳ２０８，Ｙｅｓ）、ステップＳ２０１に移行してつぎの投稿情報を読み込み、それ以後の処理を継続する。
【０１０６】
未処理の投稿情報がない場合には（ステップＳ２０８，Ｎｏ）、そのままこの友人・近所投稿情報判定処理を終了する。
【０１０７】
以上、上記実施例において、閲覧管理処理をコンピュータ上で実現する場合について説明してきたが、閲覧管理処理を実現するためのプログラムをコンピュータ読み取り可能な記録媒体に記録して、この記録媒体に記録されたプログラムをコンピュータに読み込ませ、実行することにより閲覧管理処理を実現してもよい。
【０１０８】
図１０は、閲覧管理処理を実現するコンピュータ２００のハードウェア構成を示すブロック図である。
【０１０９】
図１０に示すように、このコンピュータ２００は、上記プログラムを実行するＣＰＵ２１０と、データを入力する入力装置２２０と、各種データを記憶するＲＯＭ２３０と、演算パラメータ等を記憶するＲＡＭ２４０と、閲覧管理処理を実現するためのプログラムを記録した記録媒体３００からプログラムを読み取る読取装置２５０と、ディスプレイ等の出力装置２６０と、ネットワーク４００を介して他のコンピュータとの間でデータの授受をおこなうネットワークインターフェース２７０とが、バス２８０で接続された構成となっている。
【０１１０】
ＣＰＵ２１０は、読取装置２５０を経由して記録媒体３００に記録されているプログラムを読み込んだ後、プログラムを実行することにより、閲覧管理処理を実現する。なお、記録媒体３００としては、光ディスク、フレキシブルディスク、ＣＤ−ＲＯＭ、ハードディスク等が挙げられる。また、このプログラムは、ネットワーク４００を介してコンピュータ２００に導入することとしてもよい。
【０１１１】
上述してきたように、本実施例では、ユーザ管理サーバ５０が、各ユーザの住所の情報を記憶し、公開範囲判定サーバ８０が、互いに異なる地域に対応する複数のユーザグループ（「友人」、「近所」、「全国」）のうち、投稿情報の閲覧を許可するユーザグループを判定し、ユーザ管理サーバ５０および近所ユーザ検出サーバ７０が、ユーザ管理サーバ５０により記憶された友人情報および住所情報に基づいて、ユーザが、上記判定されたユーザグループ（「友人」および「近所」）に属するユーザであるか否かを判定し、ユーザが当該ユーザグループに属すると判定された場合に、フロントエンドサーバ４０が、当該ユーザグループに対して閲覧が許可された投稿情報を出力することとしたので、複数のユーザグループを定義して投稿情報の閲覧を許可するユーザグループを判定することにより、ユーザにより投稿された情報の公開地域を段階的に広げることができる。
【０１１２】
また、本実施例では、近所ユーザ検出サーバ７０が、投稿情報を投稿したユーザの住所と他のユーザの住所との間の距離を算出し、算出した距離に基づいて、ユーザが、判定されたユーザグループに属するユーザであるか否かを判定することとしたので、ユーザにより投稿された情報の公開地域を段階的に広げる場合に、ユーザが近所のユーザか否かを効率的に判定することができる。
【０１１３】
また、本実施例では、フロントエンドサーバ４０が、投稿情報に対する評価を受け付け、公開範囲判定サーバ８０が、受け付けられた評価に基づいて、投稿情報の閲覧を許可するユーザグループを判定することとしたので、評価が高くなるにつれて公開範囲を広げるようにするなど、情報に対する他のユーザからの反応を確かめながら徐々に情報を公開する地域を広げていくことができる。
【０１１４】
また、本実施例では、コンテンツサーバ６０が、投稿情報が当該投稿情報を閲覧するユーザの端末装置に出力された出力回数（投稿情報の閲覧数）を計測し、計測された出力回数に基づいて、投稿情報の閲覧を許可するユーザグループを判定することとしたので、閲覧数が高くなるにつれて公開範囲を広げるようにするなど、情報に対する他のユーザからの反応を確かめながら徐々に情報を公開する地域を広げていくことができる。
【０１１５】
さて、これまで本発明の実施例について説明したが、本発明は上述した実施例以外にも、特許請求の範囲に記載した技術的思想の範囲内において種々の異なる実施例にて実施されてもよいものである。
【０１１６】
たとえば、上記実施例では、ユーザグループを「友人」、「近所」、「全国」の３つのグループに分けているが、ユーザグループの数は任意であり、さらに多くのユーザグループに分け、情報の閲覧を段階的に許可するようにしてもよい。
【０１１７】
また、上記実施例では、ユーザどうしが「近所」であるか否かを判定するため、各ユーザが登録した住所により特定される地点間の距離を算出し、その距離が所定の値以下であるユーザを「近所」のユーザと判定することとしているが、これに限定されず、同一市町村内など、同一の行政区画内のユーザを「近所」のユーザと判定することとしてもよい。
【０１１８】
また、上記実施例では、評価値を、「役に立つ？」という質問に対する「はい」という応答数から「いいえ」という応答数を差し引いて算出することとしたが、これに限定されず、他の評価基準に基づいて決定することとしてもよい。
【０１１９】
たとえば、閲覧管理システム２０が、投稿情報に対してユーザによりなされた評価を５段階の星評価（５つ星が最高評価、１つ星が最低評価）などで受け付けて、星数の平均値を当該投稿情報の評価値として用いることとしてもよい。そして、このようにして設定された評価値は、所定の閾値Ｔ１や閾値Ｔ２と比較され、ユーザグループの設定がおこなわれる。
【０１２０】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。
【０１２１】
この他、上記文書中や図面中で示した処理手順、制御手順、具体的名称、各種のデータやパラメータを含む情報については、特記する場合を除いて任意に変更することができる。
【０１２２】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２３】
さらに、各装置にて行なわれる処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１２４】
以上のように、本発明に係る閲覧管理システム、閲覧管理方法および閲覧管理プログラムは、ユーザにより投稿された情報の公開地域を段階的に広げることができる情報提供システムに対して有用である。
【図面の簡単な説明】
【０１２５】
【図１】本発明に係る閲覧管理処理の概念について説明する図である。
【図２】本実施例に係る閲覧管理システムの機能構成について説明する図である。
【図３】クライアント装置１０ａ〜１０ｃに出力されるブログ情報提供画面１００の一例を示す図である。
【図４】図２に示したユーザデータ５２ａの一例を示す図である。
【図５】図２に示した投稿データ６２ａの一例を示す図である。
【図６】図２に示した友人・近所対応データ６２ｂの一例を示す図である。
【図７】図２に示した地図データ７２ａの一例を示す図である。
【図８】本実施例に係るユーザグループ判定処理の処理手順を示すフローチャートである。
【図９】本実施例に係る友人・近所投稿情報判定処理の処理手順を示すフローチャートである。
【図１０】閲覧管理処理を実現するコンピュータ２００のハードウェア構成を示すブロック図である。
【符号の説明】
【０１２６】
１０ａ〜１０ｃ    クライアント装置
２０    閲覧管理システム
３０    インターネット
４０    フロントエンドサーバ
４１    通信処理部
４２    記憶部
４２ａ    ＨＴＭＬデータ
４３    情報提供処理部
４４    制御部
５０    ユーザ管理サーバ
５１    通信処理部
５２    記憶部
５３    データ管理部
５４    制御部
６０    コンテンツサーバ
６１    通信処理部
６２    記憶部
６２ａ    投稿データ
６２ｂ    友人・近所対応データ
６３    データ管理部
６４    制御部
７０    近所ユーザ検出サーバ
７１    通信処理部
７２    記憶部
７２ａ    地図データ
７３    近所判定部
７４    制御部
８０    公開範囲判定サーバ
８１    通信処理部
８２    記憶部
８３    公開範囲判定部
８４    制御部
９０    ＬＡＮ
１００    ブログ情報提供画面
１０１    友人情報
１０２    近所情報
１０３    全国情報
【図１】
0004575305.tif 000002
【図２】
0004575305.tif 000003
【図３】
0004575305.tif 000004
【図４】
0004575305.tif 000005
【図５】
0004575305.tif 000006
【図６】
0004575305.tif 000007
【図７】
0004575305.tif 000008
【図８】
0004575305.tif 000009
【図９】
0004575305.tif 000010
【図１０】
0004575305.tif 000011